(57)【特許請求の範囲】
【請求項１】
集塵室、電動送風機及び蓄電池を有する掃除機本体と、前記掃除機本体下面前方に配設される前車輪と、前記掃除機本体側面に配設される一対の後車輪と、前記掃除機本体に接続される可撓性ホースと、該可撓性ホースに接続される延長管と、該延長管に接続される床用吸込具と、前記掃除機本体が着脱自在に装着される載置部を有し、該載置部への掃除機本体の装着状態で蓄電池に充電する充電台とを備え、前記蓄電池の重心を、蓄電池を除く掃除機本体の重心より前方の前記前車輪と後車輪間に配置したことを特徴とする電気掃除機。
【請求項２】
前記蓄電池の重心を、蓄電池を除く掃除機本体の重心より下方に配置したことを特徴とする請求項１記載の電気掃除機。
【発明の詳細な説明】
【０００１】
【発明の属する技術分野】
本発明は、蓄電池を内蔵した充電式の電気掃除機に関するものである。
【０００２】
【従来の技術】
従来、いわゆるキャニスター型電気掃除機において、電動送風機を蓄電池により駆動するものが、実公平６−８８５２号公報（Ａ４７Ｌ  ９／２８）にて知られている。
【０００３】
この従来技術では、掃除機本体の後方下部に蓄電池が配設されているが，掃除機本体の重心に対する蓄電池の位置が考慮されておらず、蓄電池の位置によっては、掃除操作に伴って可撓性ホースを引っ張ると、掃除機本体前方が容易に大きく持ち上がって、掃除機本体の移動性が悪くなるとともに、著しい場合には、掃除機本体が転倒しやすくなるなど、操作性及び使用性が悪くなる問題がある。
【０００４】
【発明が解決しようとする課題】
本発明は、上記欠点に鑑みなされたもので、操作性及び使用性を向上できる電気掃除機を提供することを課題とする。
【０００５】
【課題を解決するための手段】
本発明は、集塵室、電動送風機及び蓄電池を有する掃除機本体と、前記掃除機本体下面前方に配設される前車輪と、前記掃除機本体側面に配設される一対の後車輪と、前記掃除機本体に接続される可撓性ホースと、該可撓性ホースに接続される延長管と、該延長管に接続される床用吸込具と、前記掃除機本体が着脱自在に装着される載置部を有し、該載置部への掃除機本体の装着状態で蓄電池に充電する充電台とを備え、前記蓄電池の重心を、蓄電池を除く掃除機本体の重心より前方の前記前車輪と後車輪間に配置したことを特徴とする。
【０００６】
前記蓄電池の重心を、蓄電池を除く掃除機本体の重心より下方に配置することが望ましい。
【０００７】
【発明の実施の形態】
本発明の実施の形態を図面に基づいて以下に詳述する。
【０００８】
１は掃除機本体で、前方に吸気口２を形成した集塵室３、後方に電動送風機４を収納する電動送風機収納室５を有している。６は前記集塵室３内に収納され、開口部を前記吸気口２に連通した状態に装着される集塵袋、７は前記集塵室３上面開口を開閉自在に閉塞する集塵蓋である。
【０００９】
８は前記掃除機本体１の吸気口２下部に形成された把手用凹部で、前記掃除機本体１を持ち運ぶ際や掃除機本体１を後述する充電台２２に載置する際に、該把手用凹部８に手指を挿入して掃除機本体１を持ち上げるようになっている。
【００１０】
９は前記集塵室３前面に取り付けられたフロントカバーで、前記吸気口２に連通する接続筒部１０を形成しており、該接続筒部１０に後述する可撓性ホース１９の一端部を着脱自在に装着するようになっている。
【００１１】
１１は前記掃除機本体１の底面前方に配設されたキャスターローラー、１２は前記掃除機本体１の後部側面に回転自在に配設された一対の後車輪である。
【００１２】
１３は前記掃除機本体１の後述する蓄電池１６を除いた状態での重心位置である。
【００１３】
１４は前記集塵室３及び電動送風機収納室４の底壁との間に空間１５を存して取り付けられ、掃除機本体１の底面を構成するカバーで、前記空間１５の集塵室３下方に対応する位置に蓄電池１６を収納するようになっている。
【００１４】
１７は前記蓄電池１６の重心位置であり、この蓄電池１６の重心位置１７は、掃除機本体１の使用状態すなわち、掃除機本体１のキャスターローラー１１及び後車輪１２を床面に接地した状態において、蓄電池１６を除いた掃除機本体１の重心位置１３よりも前方かつ下方に配置されている。
【００１５】
前記掃除機本体１後面には、導電性の端子板１８を配設しており、該端子板１８を前記蓄電池１６に接続している。
【００１６】
１９は一端部に取り付けた接続管２０を前記掃除機本体１の接続筒部１０に挿入して吸気口２に着脱自在に接続する可撓性ホースで、該可撓性ホース１９の他端部に延長管２１及び床用吸込具２２を着脱自在に接続するようになっている。２３は前記可撓性ホース１９の接続管２０に一体的に形成されたハンドルで、該可撓性ホース１９を掃除機本体１に接続した際に掃除機本体１上面側に位置するようになっている。
【００１７】
２４は図示しないトランス及び充電制御回路とからなる充電器を内蔵する充電台で、前記掃除機本体１後面を下方に向けた起立状態で載置する載置部２５を有している。
【００１８】
２６は前記充電台２４の前記掃除機本体１の端子板１８に対応する位置に形成した端子収納部で、該端子収納部２６に充電端子である導電性の板バネ２７を内蔵し、該板バネ２７を、内蔵する充電器に接続している。２８は前記端子収納部２６に形成されたスリットで、前記掃除機本体１を充電台２４に載置した際に、掃除機本体１の端子板１８が該スリット２８に挿入されて板バネ２７に弾接するようになっている。
【００１９】
２９、３０は前記載置部２５の相対向する２辺に形成された案内壁で、前記掃除機本体１を載置部２５に載置する際に、掃除機本体１の上面及び下面が該案内壁２９、３０に各々対向するようになっている。
【００２０】
前記案内壁２９、３０は、上端から前記載置部２５に向かって漸次間隔が狭くなるように傾斜して形成されており、前記掃除機本体１を充電台２４に載置する際に、掃除機本体１を正規の位置に案内して掃除機本体１の端子板１８と充電台２４の板バネ２７が確実に合致するようになっている。
【００２１】
本構成において、掃除機を使用しないときには、掃除機本体１の後面を下方に向けた状態で掃除機本体１を充電台２４の載置部２５に載置して収納する。このとき、掃除機本体１後面に設けた端子板１８が、端子収納部２６のスリット２８を介して板バネ２７に弾接し、掃除機本体１に内蔵した蓄電池１６が充電される。
【００２２】
掃除をする際は、充電台２４から掃除機本体１を取り外し、図２に示すごとく、掃除機本体１の吸気口２に可撓性ホース１９の一端部を接続するとともに、可撓性ホース１９の他端部に延長管２１、さらに床用吸込具２２を順次接続し、キャスターローラー１１及び後車輪１２を床面に接地した状態で移動させて使用する。
【００２３】
蓄電池１５の重心１６は、蓄電池１６を除いた掃除機本体１の重心１３よりも前方に配置しているため、蓄電池１６を掃除機本体１に装着した状態では、掃除機本体１の前方に重心が移動し、したがって掃除操作に伴って可撓性ホース１９を引っ張っても、掃除機本体１の前方が容易には持ち上がりにくくなり、掃除機本体１が転倒することがなく、操作性及び使用性が向上する。
【００２４】
また、蓄電池１６の重心１７は、掃除機本体１の重心位置より下方に位置しているので、蓄電池１６を掃除機本体１に装着した状態で掃除機本体１の重心が下方に移動し、掃除機本体１が転倒しにくくなり、走行安定性が向上する。
【００２５】
【発明の効果】
本発明の請求項１によると、蓄電池の重心を、蓄電池を除いた掃除機本体の重心よりも前方に配置することにより、蓄電池を掃除機本体に装着した状態では、掃除機本体の前方に重心が移動し、掃除操作に伴って可撓性ホースを引っ張っても、掃除機本体の前方が容易には持ち上がりにくくなり、掃除機本体の転倒を防止でき操作性及び使用性を向上できる。
【００２６】
本発明の請求項２によると、蓄電池の重心を、蓄電池を除いた掃除機本体の重心よりも前方かつ下方に配置することにより、蓄電池を掃除機本体に装着した状態では、掃除機本体の前方に重心が移動し、掃除操作に伴って可撓性ホースを引っ張っても、掃除機本体の前方が容易には持ち上がりにくくなり、掃除機本体の転倒を防止でき操作性及び使用性を向上できるとともに、掃除機本体の重心が下方に移動させて掃除機本体の転倒を防止でき、走行安定性を向上できる。
【図面の簡単な説明】
【図１】本発明の実施の形態を示す掃除機本体の断面図である。
【図２】同電気掃除機の使用状態を示す外観図である。
【図３】同掃除機本体を充電台に載置する状態を示す側面図である。
【図４】同充電台の外観斜視図である。
【図５】同掃除機本体を充電台に載置した状態の要部拡大断面図である。
【符号の説明】
１          掃除機本体
３          集塵室
４          電動送風機
１２        後車輪
１３        掃除機本体の重心
１６        蓄電池
１７        蓄電池の重心
１９        可撓性ホース
２１        延長管
２２        床用吸込具
２４        充電台
２５        載置部
【図１】
0004353618.tif 000002
【図２】
0004353618.tif 000003
【図３】
0004353618.tif 000004
【図４】
0004353618.tif 000005
【図５】
0004353618.tif 000006